(57)【要約】【課題】本発明はストローで飲料容器本体内の飲料を吸うまでストローを直接手で触れることなく、開封することができ、衛生的に使用することができるとともに、飲料容器本体内に飲料が残っている場合には、ストローをほぼ９０度以上折り曲げて密封状態を保持して、飲料漏れ等が生じるのを効率よく阻止することができる飲料容器を得るにある。【解決手段】側面にストロー差し込み密閉部が形成された密封の飲料容器本体と、この飲料容器本体のストロー差し込み密閉部の外周部を覆うカバー部が形成された折り曲げ可能なガイド筒と、このガイド筒内にスライド移動可能に取付けられた押し込みによって先端部でストロー差し込み密閉部を切り裂くことができるガイド筒の後端より外方へ突出位置する折り曲げ可能なストローと、このストローの後端部とガイド筒の後端部を覆うカバー袋と、このカバー袋で覆われている部位のストローおよびガイド筒をほぼ９０度以上折り曲げて密閉状態で係止される飲料容器本体の側面に固定された係止具とで飲用容器を構成している。【選択図】  図１
2006044751.tif 000002
【特許請求の範囲】
【請求項１】
側面の上部あるいは下部寄りの部位にストロー差し込み密閉部が形成された密封の飲料容器本体と、この飲料容器本体のストロー差し込み密閉部の外周部を覆うカバー部が形成された折り曲げ可能なガイド筒と、このガイド筒内にスライド移動可能に取付けられた、押し込みによって先端部で前記ストロー差し込み密閉部を切り裂くことができる、該ガイド筒の後端より外方へ突出位置する折り曲げ可能なストローと、このストローの後端部と前記ガイド筒の後端部を覆うカバー袋と、このカバー袋で覆われている部位の前記ストローおよびガイド筒をほぼ９０度以上折り曲げて密閉状態で係止される、前記飲料容器本体の側面に固定された係止具とを備えることを特徴とする飲料容器。
【請求項２】
側面の上部あるいは下部寄りの部位にストロー差し込み密閉部が形成された密封の飲料容器本体と、この飲料容器本体のストロー差し込み密閉部の外周部を覆うカバー部が形成された折り曲げ可能な、該飲料容器本体の高さ寸法よりも長いガイド筒と、このガイド筒内にスライド移動可能に取付けられた、押し込みによって傾斜面の先端部で、前記ストロー差し込み密閉部を開口することができる、該ガイド筒の後端部より外方へ突出位置する折り曲げ可能なストローと、このストローの後端部と前記ガイド筒の後端部を覆うカバー袋と、このカバー袋で覆われている部位の前記ストローおよびガイド筒をほぼ９０度以上折り曲げて密閉状態で係止される、前記飲料容器本体の側面に固定された係止具と、この係止具と一体形成された前記ストローおよびガイド筒の折り曲げ部を押し圧する押し圧片とを備えることを特徴とする飲料容器。
【発明の詳細な説明】
【技術分野】
【０００１】
本発明はストローで飲むことができる飲料容器に関する。
【背景技術】
【０００２】
従来のストローで飲む飲料容器は、ストロー差し込み密閉部が形成された飲料容器本体と、先端部が傾斜面に形成された伸縮可能なストローと、このストローを密閉状態に覆い、前記飲料容器本体の側面に接着固定させる密封袋とで構成されている。
【０００３】
このため、使用時に飲料容器本体に接着固定されている密封袋を取り外し、該密封袋よりストローを取り出し、該ストローの上下端部を持って引っ張り、伸長状態にした後、飲料容器本体のストロー差し込み密閉部にストローの先端部を位置させて押し込み、ストローを飲料容器本体内に差し込み、飲用している。
このため、ストローを直接手で触らなければ飲料容器本体内へ差し込むことができず、これらの作業中にストローを汚してしまうという欠点があった。
また、使用中はストロー部分が開口状態となっているため、倒れたり、飲料容器内の内圧が高くなると、ストローより飲料が漏れ出す等の欠点があった。
【特許文献１】特になし
【発明の開示】
【発明が解決しようとする課題】
【０００４】
本発明は以上のような従来の欠点に鑑み、ストローで飲料容器本体内の飲料を吸うまで、ストローを直接手で触れることなく開封することができ、衛生的に使用することができるとともに、飲料容器本体内に飲料が残っている場合には、ストローをほぼ９０度以上折り曲げて密封状態を保持して、飲料漏れ等が生じるのを効率よく阻止することができる飲料容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は側面の上部あるいは下部寄りの部位にストロー差し込み密閉部が形成された密封の飲料容器本体と、この飲料容器本体のストロー差し込み密閉部の外周部を覆うカバー部が形成された折り曲げ可能なガイド筒と、このガイド筒内にスライド移動可能に取付けられた、押し込みによって先端部で前記ストロー差し込み密閉部を切り裂くことができる、該ガイド筒の後端より外方へ突出位置する折り曲げ可能なストローと、このストローの後端部と前記ガイド筒の後端部を覆うカバー袋と、このカバー袋で覆われている部位の前記ストローおよびガイド筒をほぼ９０度以上折り曲げて密閉状態で係止される、前記飲料容器本体の側面に固定された係止具とで飲用容器を構成している。
【発明の効果】
【０００７】
以下の説明から明らかなように、本発明にあっては次に列挙する効果が得られる。
【０００８】
（１）側面の上部あるいは下部寄りの部位にストロー差し込み密閉部が形成された密封の飲料容器本体と、この飲料容器本体のストロー差し込み密閉部の外周部を覆うカバー部が形成された折り曲げ可能なガイド筒と、このガイド筒内にスライド移動可能に取付けられた、押し込みによって先端部で前記ストロー差し込み密閉部を切り裂くことができる、該ガイド筒の後端より外方へ突出位置する折り曲げ可能なストローと、このストローの後端部と前記ガイド筒の後端部を覆うカバー袋と、このカバー袋で覆われている部位の前記ストローおよびガイド筒をほぼ９０度以上折り曲げて密閉状態で係止される、前記飲料容器本体の側面に固定された係止具とで構成されているので、カバー袋で覆われているストローの後端部をガイド筒内へ押し込むようにスライド移動させると、ストローの先端部の傾斜面でストロー差し込み密閉部を切り裂き、開口することができる。
したがって、ストロー差し込み密閉部の開口した後、カバー袋を除去してストローの後端部を吸うことにより、飲料容器本体内の飲料を吸いながら飲むことができ、従来のようにストローを直接手で触れることがないので、衛生的に使用することができる。
【０００９】
（２）前記（１）によって、ストローの後端部とガイド筒の後端部をほぼ９０度以上折り曲げて係止具に係止することができるので、ストローを密閉することができる
したがって、飲料容器本体に内圧が加わったり、倒れたりしても、飲料容器本体内の飲料が外部へ漏れたりする不具合を解消することができる。
【００１０】
（３）前記（１）によって、ストロー差し込み密閉部を飲料容器本体の側面の上部位置はもちろん、下部位置に設けてもカバー部でストロー差し込み密閉部の外周部が覆われ、該カバー部と一体のガイド筒も折り曲げて密閉されているため、漏れ等に対する不安を解消することができるとともに、ストロー差し込み密閉部を直接外部に位置するのを防止でき、安全に使用することができる。
【００１１】
（４）前記（１）によって、飲料容器本体の側面にストローが挿入され、カバー袋で覆われたガイド筒や係止具を固定するだけでよいので、比較的簡易に製造することができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図１３に示す本発明を実施するための最良の第１の形態において、１は液体あるいはゼリー状の飲料が収納された本発明の飲料容器で、この飲料容器１は上部側面にストロー差し込み密閉部２が形成された、従来と同構成の密封の飲料容器本体３と、この飲料容器本体３のストロー差し込み密閉部２の外周部を覆うように接着固定されるカバー部４が形成された折り曲げ可能な、該飲料容器本体３の高さ寸法よりも長い寸法のガイド筒５と、このガイド筒５内にスライド移動可能に取付けられた、押し込みによって傾斜面６の先端部が前記ストロー差し込み密閉部２を開口することができる、該ガイド筒５の後端部より外方へ突出位置する折り曲げ可能なストロー７と、このストロー７の後端部と前記ガイド筒５の後端部を覆うカバー袋８と、このカバー袋８で覆われている部位の前記ストロー７およびガイド筒５をほぼ９０度以上折り曲げて密閉状態で係止される前記飲料容器本体３の側面に接着固定された係止具９と、この係止具９と一体形成された、前記ストロー７およびガイド筒５の折り曲げ部分を押し圧することができる押し圧片１０とで構成されている。
【００１５】
前記ガイド筒５は図４に示すように、前記ストロー７の外径寸法よりもわずかに大きい内径寸法のガイド筒本体１１と、このガイド筒本体１１の下端部に一体形成された傾斜面１２ａのガイド孔１２が形成され、外周部が前記ストロー差し込み密閉部２の外周部の、前記飲料容器本体３に接着あるいは溶着等によって密閉状態で固定されるフランジ状の固定部１３とからなるカバー部４とで構成されている。
【００１６】
前記ストロー７は図５に示すように、先端部が傾斜面６に形成され、前記カバー部４のガイド孔１２に沿ってスムーズに曲がって移動できるように、反飲料容器本体３側に複数個の切り欠部１４が形成された、比較的硬質の合成樹脂材製の先端ストロー１５と、この先端ストロー１５の後端部と嵌合固定された、容易に折り曲げることができる後端ストロー１６とで構成されている。
【００１７】
前記カバー袋８は図６に示すように、前記ストロー７の後端部と前記ガイド筒５の後端部を覆うカバー袋本体１７と、このカバー袋本体１７の外側片１７ａと一体形成された先端部が、前記飲料容器本体３の外側面へ突出するカバーシート１８と、前記カバー袋本体１７の外側片１７ａに一端部が溶着等によって固定され、他端部が前記押し圧片１０近傍に溶着等によって固定された脱落防止紐１９とからなり、前記カバーシート１８の外周部およびカバー袋本体１７の内側片１７ｂを接着剤等によって前記飲料容器本体３に固定している。
【００１８】
前記係止具９と押し圧片１０は前記飲料容器本体３の側面に溶着あるいは接着固定された、前記カバー袋８のカバーシート１８で覆われるベース板２０と、このベース板２０の一端部寄りの部位に形成されたほぼＬ字状の係止具９と、前記ベース板２０の他端部寄りの部位に形成された、前記ガイド筒５を支持する支持部２１の外側面と一体形成された押し圧片１０とで構成されている。
【００１９】
上記構成の飲料容器１は流通段階では図１ないし図３に示すように、ストロー７の後端部とガイド筒５の後端部が折り曲げられた状態でカバー袋８で覆われ、溶着あるいは接着等によって飲料容器本体３の側面に固定されている。
また、ストロー７の後端部はガイド筒５の後端部より外方へ突出し、先端部は図８に示すように、ストロー差し込み密閉部２近傍のカバー部４の傾斜面１２ａ部位に位置している。
さらに、ストロー７とガイド筒５の折り曲げ部２２は、図９に示すように両端部が外方へ突出し、押し圧片１０を押し圧した状態となっている。
【００２０】
飲用する場合には、飲料容器本体３を逆にして図１０に示すように、該飲料容器本体３の側面より外方へ突出しているカバーシート１８を引っ張ることにより、カバー袋８が飲料容器本体３の側面から離れる。
【００２１】
しかる後、図１１に示すようにカバー袋８を持ってストロー７を直線状態となるように回動させ、カバー袋８のカバー袋本体１７を介してストロー７を下方へ押し圧すると、ストロー７の先端部はカバー部４の傾斜面１２ａに沿って押し込まれ、ストロー差し込み密閉部２を切り裂き、飲料容器本体３内に位置する。    
この時、ストロー７やガイド筒５の折り曲げ部２２は押し圧片１０によって押し圧されるとともに、ストロー７の押し込みによる移動で、元の円形状態に自動的に戻る。
【００２２】
次にストロー７の後端部に位置するカバー袋８を除去して、図１２に示すようにストロー７に口を位置させて吸引することにより、飲料容器本体３内の飲料を飲用することができる。
飲用を途中で中止する場合には、ストロー７およびガイド筒５の後端部をほぼ９０度以上折り曲げ、図１３に示すように係止具９に係止させることにより、ストロー７およびガイド筒５を折り曲げ部２２で閉じることができ、飲料容器本体３を倒したり、内圧が加わっても、外部へ飲料が漏れたりするのを確実に防止することができる。
［発明を実施するための異なる形態］
【００２３】
次に、図１４ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図１４および図１５に示す本発明を実施するための第２の形態において、前記本発明を実施するための最良の第１の形態と主に異なる点は、飲料容器本体３側に複数個のＶ字状の切り欠部１４Ａを形成したストロー７Ａを用いた点で、このように構成した飲料容器１Ａにしても、前記本発明を実施するための最良の第１の形態と同様な作用効果が得られる。
【００２５】
図１６および図１７に示す本発明を実施するための第３の形態において、前記本発明を実施するための最良の第１の形態と主に異なる点は、先端部と後端部とを一体形成したストロー７Ｂを用いた点で、このように構成した飲料容器１Ｂにしても、前記本発明を実施するための最良の第１の形態と同様な作用効果が得られる。
【００２６】
図１８および図１９に示す本発明を実施するための第４の形態において、前記本発明を実施するための第３の形態と主に異なる点は、先端部が平坦面２３に切断されたストロー７Ｃを用いた点で、このように構成した飲料容器１Ｃにしても前記本発明を実施するための第３の形態と同様な作用効果が得られるとともに、ストロー７Ｃのガイド筒５内への挿入方向が自由で、組み付けが容易にできる。
【００２７】
図２０ないし図２３に示す本発明を実施するための第５の形態において、前記本発明を実施するための最良の第１の形態と主に異なる点は、飲料容器本体３の下部側面にストロー差し込み密閉部２を形成するとともに、ストロー７およびガイド筒５をカバー袋８で覆った状態で、係止具９に係止させた状態でカバー袋８を飲料容器本体３の上部側面に溶着あるいは接着固定した点で、このように構成した飲料容器１Ｄにしても、前記本発明を実施するための最良の第１の形態と同様な作用効果が得られるとともに、飲料容器本体３の密封をストロー差し込み密閉部２とストロー７およびガイド筒５の折り曲げ部２２で図ることができる。
【００２８】
図２４ないし図２８に示す本発明を実施するための第６の形態において、前記本発明を実施するための最良の第１の形態と主に異なる点は、ガイド筒５の折り曲げ部２２の外側に突出した部位を元の状態に押し圧片１０で確実に戻せるようにカバーする、該折り曲げ部２２に位置する部位が、開口され曲げ部により外側に突出する部位に両端部が位置するカバー筒２４と、ベース板２０に一体形成されたストロー７およびガイド筒５の後端部を吸引する場合に大きく外側に突出できるように鋭角に折り曲げた状態で係止することができる係止具９Ａおよび飲用を途中で中止する場合の係止具９と、後端部を折り曲げ部２２近傍のガイド筒５に固定され下部側面が比較的に容易に切断することができるカバー袋８Ａとを用いた点で、このように構成した飲料容器１Ｅにしても、前記本発明を実施するための最良の第１の形態と同様な作用効果が得られるとともに、ストロー７およびガイド筒５の折り曲げ部２２の外側に突出した部位をカバー筒２４によって、容易に元の円筒形状に確実に戻すことができる。
なお、カバー筒２４として、比較的に圧肉の材質を用いた場合には開口端部の両外側面を傾斜面に形成することにより、ストロー７およびガイド筒５の回動時によりスムーズに押し圧片１０間をスライド移動させることができる。
【産業上の利用可能性】
【００２９】
本発明はストローを用いる飲料容器を製造する産業で利用される。
【図面の簡単な説明】
【００３０】
【図１】本発明を実施するための最良の第１の形態の正面図。
【図２】本発明を実施するための最良の第１の形態の平面図。
【図３】本発明を実施するための最良の第１の形態の側面図。
【図４】本発明を実施するための最良の第１の形態のガイド筒の説明図。
【図５】本発明を実施するための最良の第１の形態のストローの説明図。
【図６】本発明を実施するための最良の第１の形態のカバー袋の説明図。
【図７】本発明を実施するための最良の第１の形態の係止具と押し圧片の説明図。
【図８】図１の８−８線に沿う拡大断面図。
【図９】図１の９−９線に沿う拡大断面図。
【図１０】本発明を実施するための最良の第１の形態のカバーシートを離す状態の説明図。
【図１１】本発明を実施するための最良の第１の形態のストローの押し込み状態の説明図。
【図１２】本発明を実施するための最良の第１の形態の飲用状態の説明図。
【図１３】本発明を実施するための最良の第１の形態のストローの密閉状態の説明図。
【図１４】本発明を実施するための第２の形態の正面図。
【図１５】本発明を実施するための第２の形態のストローの説明図。
【図１６】本発明を実施するための第３の形態の正面図。
【図１７】本発明を実施するための第３の形態のストローの説明図。
【図１８】本発明を実施するための第４の形態の正面図。
【図１９】本発明を実施するための第４の形態のストローの説明図。
【図２０】本発明を実施するための第５の形態の正面図。
【図２１】図２０の２１−２１線に沿う拡大断面図。
【図２２】図２０の２２−２２線に沿う拡大断面図。
【図２３】本発明を実施するための第５の形態の飲用状態の説明図。
【図２４】本発明を実施するための第６の形態の正面図。
【図２５】本発明を実施するための第６の形態の係止具と押し圧片の説明図。
【図２６】本発明を実施するための第６の形態のカバー筒の説明図。
【図２７】本発明を実施するための第６の形態のガイド筒とカバー筒の説明図。
【図２８】本発明を実施するための第６の形態のストローの密閉状態の説明図。
【符号の説明】
【００３１】
１、１Ａ、１Ｂ、１Ｃ、１Ｄ、１Ｅ：飲料容器、
２：ストロー差し込み密閉部、  ３：飲料容器本体、
４：カバー部、                ５：ガイド筒、
６：傾斜面、                  ７、７Ａ、７Ｂ、７Ｃ：ストロー、
８、８Ａ：カバー袋、          ９、９Ａ：係止具、
１０：押し圧片、              １１：ガイド筒本体、
１２：ガイド孔、              １３：固定部、
１４、１４Ａ：切り欠部、      １５：先端ストロー、
１６：後端ストロー、          １７：カバー袋本体、
１８：カバーシート、          １９：脱落防止紐、
２０：ベース板、              ２１：支持部、
２２：折り曲げ部、            ２３：平坦面、
２４：カバー筒。
【図１】
2006044751.tif 000003
【図２】
2006044751.tif 000004
【図３】
2006044751.tif 000005
【図４】
2006044751.tif 000006
【図５】
2006044751.tif 000007
【図６】
2006044751.tif 000008
【図７】
2006044751.tif 000009
【図８】
2006044751.tif 000010
【図９】
2006044751.tif 000011
【図１０】
2006044751.tif 000012
【図１１】
2006044751.tif 000013
【図１２】
2006044751.tif 000014
【図１３】
2006044751.tif 000015
【図１４】
2006044751.tif 000016
【図１５】
2006044751.tif 000017
【図１６】
2006044751.tif 000018
【図１７】
2006044751.tif 000019
【図１８】
2006044751.tif 000020
【図１９】
2006044751.tif 000021
【図２０】
2006044751.tif 000022
【図２１】
2006044751.tif 000023
【図２２】
2006044751.tif 000024
【図２３】
2006044751.tif 000025
【図２４】
2006044751.tif 000026
【図２５】
2006044751.tif 000027
【図２６】
2006044751.tif 000028
【図２７】
2006044751.tif 000029
【図２８】
2006044751.tif 000030